(57)【要約】  本発明は、生きている鳥をハンドリングし、等級付けし、ワクチン接種するためのデバイス、システムおよび方法を提供し、デバイス（１）は、主要素（１０）と、この主要素に回動可能に取り付けられて、鳥をその肩甲骨‐上腕関節によって第１の位置において受け取って保持すると共に鳥を第２の位置において解放するように構成された受け要素（２０）と、主要素に動作可能に取り付けられ、受け要素を第１の位置においてロックすると共に鳥を解放するために第１の位置から第２の位置へと回動するように受け要素を解放するよう構成されたロック要素（３０）とを備える。
2019505211.tif 000002
【特許請求の範囲】
【請求項１】
生きている鳥をハンドリングしかつ等級付けするためのデバイスであって、
主要素と、
受け要素であって、前記主要素に対して回動可能に取り付けられ、かつ、第１の位置で肩甲骨‐上腕関節によって鳥を受け取って保持すると共に、前記受け要素の第２の位置で鳥を解放するように構成された受け要素と、
ロック要素であって、前記主要素に対して回動可能に取り付けられ、かつ、前記第１の位置で前記受け要素をロックすると共に、鳥を解放するためにその第１の位置からその第２の位置へと前記受け要素を回動させるために前記受け要素をロック解除するように構成されたロック要素と
を備えるデバイス。
【請求項２】
前記受け要素は、前記受け要素の第１の端部に少なくとも二つの略Ｖ字形要素を備える、請求項１に記載のデバイス。
【請求項３】
前記少なくとも二つのＶ字形要素のうちの少なくとも一つが、異なるサイズの鳥を受け取ることを可能とするように、前記受け要素に対して回動可能に取り付けられている、請求項２に記載のデバイス。
【請求項４】
前記受け要素は第１の軸線の周りで回動するように構成され、かつ、前記少なくとも一つのＶ字形要素は、前記第１の軸線とは異なる第２の軸線の周りで回動するように構成される、請求項３に記載のデバイス。
【請求項５】
前記受け要素は、前記少なくとも一つのＶ字形要素の回動を所定の範囲内に制限するために少なくとも一つの制限要素をさらに備える、請求項３または請求項４に記載のデバイス。
【請求項６】
前記受け要素は、前記受け要素の第２の端部に、鳥を解放した後に前記受け要素を前記第２の位置から前記第１の位置へと回動させるように構成されたカウンターウェイト要素をさらに備える、請求項１ないし請求項５のいずれか１項に記載のデバイス。
【請求項７】
前記主要素は、前記デバイスを外部システムに対して、好ましくは自動化されたハンドリングおよび等級付けシステムに対して取り付けるように構成されたフック要素を備える、請求項１ないし請求項６のいずれか１項に記載のデバイス。
【請求項８】
前記デバイスは、鳥の背部領域で鳥を支持するように構成された背部サポートをさらに備える、請求項１ないし請求項７のいずれか１項に記載のデバイス。
【請求項９】
背部サポートはプラスチックプレートを備える、請求項８に記載のデバイス。
【請求項１０】
鳥をハンドリングしかつ等級付けするためのシステムであって、
少なくとも一つの、請求項１ないし請求項９のいずれか１項に記載のデバイスを取り付けるように構成された少なくとも一つの固定要素と、
前記少なくとも一つのデバイスを鳥と共に秤量するように構成された秤量要素と、
鳥の重量に応じて前記ロック要素を自動的に動作させ、これによって、鳥を解放するために前記第１の位置から前記第２の位置へと回動するように前記受け要素を解放するよう構成された少なくとも二つの解放要素と
を備えるシステム。
【請求項１１】
前記受け要素によって保持されている間に鳥に自動的にワクチン接種するように構成された少なくとも一つのワクチン接種要素および／または鳥をカウントするための少なくとも一つのカウント要素をさらに備える、請求項１０に記載のシステム。
【請求項１２】
前記秤量要素に結合されると共に、前記秤量要素の出力信号および前記デバイスの自重に基づいて鳥の重量を特定するように構成された少なくとも一つの処理デバイスをさらに備える、請求項１０または請求項１１に記載のシステム。
【請求項１３】
鳥をハンドリングしかつ等級付けするための方法であって、
受け要素によって、第１の位置において、その肩甲骨‐上腕関節によって鳥を受け取って保持するステップと、
第１の軸線の周りで前記第１の位置から第２の位置へと前記受け要素を自動的に回動させ、これによって鳥を解放すると共に、前記第２の位置から前記第１の位置へと前記第１の軸線の周りで前記受け要素を回動させるステップと
を含む方法。
【請求項１４】
鳥を受け取りかつ保持することは、前記第１の軸線とは異なる第２の軸線の周りで二つのＶ字形要素のうちの少なくとも一つを回動させることを含む、請求項１３に記載の方法。
【請求項１５】
前記Ｖ字形要素の少なくとも一つを回動させることは、少なくとも一つの制限要素を用いて、所定の範囲内で前記Ｖ字形要素の少なくとも一つを回動させることを含む、請求項１４に記載の方法。
【請求項１６】
前記第２の位置から前記第１の位置へと前記第１の軸線の周りで前記受け要素を自動的に回動させることは、前記受け要素の第２の端部に取り付けられたカウンターウェイト要素を用いて、前記第２の位置から前記第１の位置へと前記第１の軸線の周りで前記受け要素を自動的に回動させることを含む、請求項１３ないし請求項１５のいずれか１項に記載の方法。
【請求項１７】
前記受け要素およびロック要素を外部システムに対して、好ましくは自動化されたハンドリングおよび等級付けシステムに対して取り付けるステップをさらに含む、請求項１３ないし請求項１６のいずれか１項に記載の方法。
【請求項１８】
以下のステップ、すなわち
鳥の重量を自動的に特定するステップ、
鳥を自動的にカウントするステップ、
鳥の特定された重量に対応して鳥を自動的に等級付けするステップ、
鳥に自動的にワクチン接種するステップ
のうちの少なくとも一つをさらに含む、請求項１３ないし請求項１７のいずれか１項に記載の方法。
【請求項１９】
複数の鳥の重量分布に関する統計的情報を生成するために鳥の特定された重量を処理するステップをさらに含む、請求項１８に記載の方法。
【請求項２０】
ユーザー入力および／または前記重量分布に関する生成された統計的情報に基づいて鳥を等級付けするために少なくとも一つの区切り重量を設定するステップをさらに含む、請求項１９に記載の方法。
【発明の詳細な説明】
【技術分野】
【０００１】
本発明は、家禽のような生きている鳥をハンドリングし、等級付けし、ワクチン接種するための、特に鳥をその肩甲骨‐上腕関節によって保持することによって生きている鳥をハンドリングし、等級付けし、ワクチン接種するためのデバイス、システムおよび方法に関する。
【背景技術】
【０００２】
動物をぶら下げたり外したりするために構築されたほとんどの従来システムは死んだ動物のために設計されているので、動物の保護を考慮していない。しかしながら、生きている家禽のような生きている動物をハンドリングする際には、異なる要件が考慮されなければならない。グループ間の均一な重量を達成するために、そして産卵期間中のより良い生産を確実にするために、種畜（生きている家禽）の等級付けは最も重要である。現在の等級付けシステムは手作業であり、激しい労働力を必要とし、かつ／または生きている家禽を受け入れるようには設計されていないために生きている家禽には適していない。すなわち、従来デバイスは、家禽を傷付けたり、あるいはそのストレスレベルを不健康な程度まで増加させたりする可能性がある。
【０００３】
したがって、鳥の保護を保証しながら、より高い処理量を可能にする、家禽のような鳥をぶら下げたり、取り下ろしたりするための自動化されたデバイスが求められている。
【発明の概要】
【発明が解決しようとする課題】
【０００４】
本発明の目的は、従来技術の一つ以上の問題を克服する、鳥をハンドリングしかつ等級付けするための方法、システムおよびデバイスを提供することである。この目的のために、三角法および物理学の基本的な仮定を見直すことによって、鳥の解剖学的構造、動きおよび反応が集中的に研究され、考慮された。このインプットによって、家禽のような生きている鳥の運搬、ハンドリング、等級付け、そして予防接種を管理し、その保護を確実にする技術的解決策が求められている。
【課題を解決するための手段】
【０００５】
上記目的は独立請求項に記載された特徴によって達成される。従属請求項は本発明のさらなる態様に関する。
【０００６】
本発明は、鳥を効率的で優しい方法でさらに処理するために、家禽のような生きている鳥を、その肩甲骨‐上腕関節によってぶら下げる、という一般的な考え方に基づいている。
【０００７】
本発明の第１の態様によれば、生きている鳥をハンドリングしかつ等級付けするためのデバイスであって、主要素と、受け要素であって、主要素に対して回動可能に取り付けられ、かつ、第１の位置で肩甲骨‐上腕関節によって鳥を受け取って保持すると共に、受け要素の第２の位置で鳥を解放するように構成された受け要素と、ロック要素であって、主要素に対して回動可能に取り付けられ、かつ、第１の位置で受け要素をロックすると共に、鳥を解放するためにその第１の位置からその第２の位置へと受け要素を回動させるために受け要素をロック解除するように構成されたロック要素とを備えるデバイスが提供される。
【０００８】
受け要素は、この受け要素の第１の端部に少なくとも二つの略Ｖ字形要素を含むことができる。Ｖ字形要素は、好ましくは、生きている鳥の翼がＶ字形要素の側方に広がるように、その肩甲骨‐上腕関節によって、生きている鳥を保持するように構成される。Ｖ字形要素の構造は、生きている鳥が、快適な位置にありながら受け要素内で固定されることを、したがって受け要素によって保持されながら鳥の保護を保証することを可能にする。好ましくは、各Ｖ字形要素は、生きている鳥の損傷を防止するために、受け要素に対して取り付けられていないその自由端部に、受け要素（および生きている鳥）から離れるように曲げられた末端部を備える。二つの末端部は、鳥の安全性をさらに高めるために、丸みを帯びた端部を含むことができる。
【０００９】
好ましくは、少なくとも一つのＶ字形要素は、異なるサイズの鳥の受け入れを可能とするために、Ｖ字形要素間のスペースを増大させるように、受け要素に対して回動可能に取り付けられる。換言すれば、Ｖ字形要素は、それらの開口スペースを調整することによって、好ましくは、受け要素に取り付けられた端部において反対方向に回動させられることによって、異なるサイズの鳥の受け入れを可能とするように構成することができる。一方のＶ字形要素を他方のＶ字形要素から離れる第１の方向に回動させるだけで十分であろうが、異なるサイズの鳥を受け入れるためには両方のＶ字形要素が反対方向に回動させられることが好ましい。
【００１０】
受け要素は第１の軸線の周りで回動するように構成されてもよく、少なくとも一つのＶ字形要素は、鳥を受け入れるスペースを開閉するために、第１の軸線とは異なる、例えば第１の軸線に対して直交する第２の軸線の周りで回動するように構成される。すなわち、受け要素は、鳥を解放するための第１の回動軸線を有し、一方、Ｖ字形要素を回動させるための第２の回動軸線は第１の回動軸線に対して直交する。換言すれば、鳥の解剖学的構造のために、鳥は少なくとも二つのＶ字形要素によって受け取られるが、そのそれぞれが鳥の幅方向に開く回動軸線を有しており、鳥は、この場合、少なくとも二つのＶ字形要素の回動軸線に垂直な軸線の周りで受け要素を回動させることにより解放され、こうして鳥は、優しく、そして立った状態で解放される。実際には、解放時、鳥は羽ばたき始め、これによって鳥は難なく着地する。
【００１１】
受け要素は、少なくとも一つのＶ字形要素の回動を、したがってその開閉を所定の範囲内に制限するための少なくとも一つの制限要素をさらに含むことができる。すなわち、Ｖ字形要素の可能な回動を制限するために、制限要素が設けられてもよい。制限要素は、最大量までかつ／または最小量まで、すなわち大きな鳥を受け入れるための最大開口までかつ／またはより小さな鳥を受け入れるための最小開口まで、それぞれ回動を制限するように設けられてもよい。このようにして、Ｖ字形要素の回動を、Ｖ字形要素の制御されない回動を防止するために、ある所定の範囲に制限することができる。
【００１２】
受け要素は、好ましくは、第２の部分、例えば受け要素の第２の端部に、カウンターウェイト要素をさらに備えるが、これは、鳥を解放した後に受け要素を第２の位置から第１の位置へと回動させるように構成される。すなわち、受け要素は、鳥がいったん解放されると第１の位置へと戻る受け要素の自動回動を可能とするために、好ましくはその一端に所定の重量を備えることができ、この場合、受け要素は続いて新しい鳥を受け入れることができる。好ましくは、カウンターウェイトは、いったん受け要素がロック解除されると、鳥の重量によって第１の位置から第２の位置への回動を可能とするために、本発明によって扱われる鳥よりも軽い重量を有する。すなわち、カウンターウェイトの重量は処理されている鳥に依存し、したがって個々のニーズに応じて選択することができる。
【００１３】
主要素は、デバイスを外部システムに対して、好ましくは自動化されたハンドリングおよび等級付けシステムに対して取り付けるように構成されたフック要素を含むことができる。フック要素は、外部システムへの取り付けを容易にするために、フック形状または閉ループ形状に構成することができる。しかしながら、フック要素のその他の形態および構成も可能であり、これは主に外部システムの取り付け手段に依存する。例えば、フック要素は、長尺な要素を取り囲んで固定するインテーク要素を用いて外部システムによって受け入れられる長尺な要素であってもよい。当技術分野で公知のその他の取り付け構成も同様に可能である。
【００１４】
デバイスは、鳥の背部領域で鳥を支持するように構成された背部サポートをさらに含むことができる。背部サポートは鳥をデバイス上に固定することができ、鳥がデバイスから滑り落ちるリスクを軽減することができる。これは、より小さな鳥をしっかりと保持するために特に有利である。
【００１５】
背部サポートはプラスチックプレートを含んでもよく、あるいはプラスチックプレートから構成されていてもよい。プラスチックプレートは、少なくとも二つのＶ字形要素に当接することができる。プラスチックプレートは、受け要素が第１の位置と第２の位置との間で回動することを可能とするように、主要素および／または少なくとも二つのＶ字形要素に取り付けられてもよい。
【００１６】
本発明の別の態様によれば、家禽のような鳥をハンドリングしかつ等級付けするための、好ましくはその体重に応じて鳥をハンドリングしかつ等級付けするためのシステムが提供される。本システムは、上述したような本発明による生きた鳥をハンドリングしかつ等級付けするための少なくとも一つのデバイスを取り付けるように構成された少なくとも一つの固定要素を含む。好ましくは、１２台以上のような複数のそうしたデバイスが、それぞれの固定要素によってシステムに対して取り付けられる。このシステムは、駆動手段と、少なくとも一つの固定要素がそれに沿って移動することができる経路、好ましくは閉ループを含むキャリアシステムを提供する。システムはさらに、少なくとも一つのデバイスを鳥と共に秤量するように構成された秤量要素と、それぞれの鳥の重量に応じてロック要素を自動的にロック解除し、これによって鳥を解放するために第１の位置から第２の位置へと回動するように受け要素を解放するように構成された少なくとも二つの、好ましくは三つの解放要素とを備える。固定要素はシステムの取り付け手段を形成し、それは、生きている鳥をハンドリングしかつ等級付けするためのデバイスの上記フック要素に対する相手方部品である。好ましくは、システムは、それに沿って固定要素がシステム内を移動する経路の異なる位置、好ましくは三つの位置に、その重量に応じて鳥を自動的に区分けするために上記の好ましくは三つの位置のうちの所定の一つにおいて、その測定された重量に応じて鳥を解放するために、開放要素を備える。
【００１７】
上記システムは、鳥を解放する前に、受け要素によって保持されている間に鳥のワクチン接種を可能にするように構成された少なくとも一つのワクチン接種要素またはステーションをさらに備えることができる。好ましくは、ワクチン接種要素は、特定の重量の鳥のみにワクチン接種するように、すなわち秤量要素によって重量が計測された後にワクチン接種するように構成される。一度に複数の鳥にワクチン接種するために、または鳥の重量に応じてその個別ワクチン接種を可能とするために、複数のワクチン接種要素を設けることも有利である。
【００１８】
上記システムは、好ましくはそれらの特定された重量に応じて、鳥をカウントするための少なくとも一つのカウント要素をさらに含んでいてもよい。カウント要素は、別個のユニットとして提供されてもよく、あるいは秤量要素に一体化されてもよい。カウント要素は、例えば、鳥がその重量に応じて解放される領域の一つに設置された、したがって、特定の領域、すなわち、それに沿って固定要素がシステム内を移動する経路の三つの位置のうちの一つに解放される個々の鳥を検出することができる光バリアであってもよい。
【００１９】
上記システムは、秤量要素に結合された少なくとも一つの処理デバイスをさらに備えていてもよい。この少なくとも一つの処理デバイスは、秤量要素の出力信号およびデバイスの自重に基づいて、鳥の重量を特定するように構成されてもよい。少なくとも一つの処理デバイスは、システムの較正またはテアリング処理において自重を自動的に特定するように構成されてもよい。代替的または追加的に、少なくとも一つの処理デバイスは、複数の鳥の重量分布の平均値、分散または統計的分布パターンなどの統計的情報を生成するように構成されてもよい。統計的情報はオペレータに出力されてもよく、かつ／または、システムが自動的に等級付けのために一つ以上の区切り重量を設定することを可能としてもよい。
【００２０】
本発明の別の態様によれば、家禽のような鳥をハンドリングしかつ等級付けするための方法が提供される。この方法は、鳥をその肩甲骨‐上腕関節によって第１の位置で受け要素によって受け取って保持するステップと、受け要素を第１の軸線の周りで第１の位置から第２の位置へと回動させ、これによって鳥を解放するステップと、第２の位置から第１の位置へと戻るように第１の軸線の周りで受け要素を回動させるステップとを含む。
【００２１】
この方法はさらに、受け要素をロック要素によって第１の位置においてロックすることを含むことができる。ロック要素は上述したように構成することができる。
【００２２】
好ましくは、鳥を受け取って保持することは、取り扱う鳥のサイズにそれを適合させるために二つのＶ字形要素間の間隔を広げかつ／または二つのＶ字形要素間のスペースを増大させるように、第１の軸線とは異なる、例えば第１の軸線と直交する第２の軸線の周りで、二つのＶ字形要素のうちの少なくとも一つを回動させることを含む。
【００２３】
Ｖ字形要素の少なくとも一つを回動させるステップは、少なくとも一つの制限要素を使用して、Ｖ字形要素の少なくとも一つを所定の範囲内で回動させることを含むことができる。制限要素は上述したように構成することができる。
【００２４】
第２の位置から第１の位置へと第１の軸線の周りで受け要素を回動させることは、好ましくは、受け要素の第２の端部に取り付けられたカウンターウェイト要素を用いて、第１の軸線の周りで第２の位置から第１の位置へと受け要素を自動的に回動させることを含む。カウンターウェイト要素は上述したように構成することができる。
【００２５】
この方法はさらに、受け要素およびロック要素を外部システムに対して、好ましくは上述したような自動化されたハンドリングおよび等級付けシステムに対して取り付けるステップを含むことができる。
【００２６】
受け要素およびロック要素は、例えばクリック接続によって、外部システムに対して取り付け可能であってもよい。
【００２７】
好ましくは、上記方法はさらに、鳥の重量を自動的に特定するステップ、特定された鳥の重量に応じて鳥を自動的に等級付けするステップ、好ましくは鳥の特定された重量に応じて鳥を自動的にカウントするステップ、そして受け要素に保持されている間に自動的に鳥のワクチン接種を行うステップのうちの少なくとも一つを含む。鳥を自動的にカウントするステップは、カウント要素の使用によって、または秤量要素によって実行されてもよい。すなわち、秤量要素または別個のカウント要素によってカウントが行われてもよい。
【００２８】
上記方法は、複数の鳥の重量分布に関する統計的情報を生成するために、鳥の特定された重量を処理するステップをさらに含むことができる。説明のために統計的分布の一つ以上の特性を特定することができる。この特性は、平均値、分散、平均幅、またはいくつかの重量間隔のそれぞれのものにそれぞれ収まるサンプルグループの鳥の割合を示す分布を含むことができる。この方法は、ユーザー入力および／または重量分布に関する生成された統計的情報に基づいて鳥を等級付けするために、少なくとも一つの区切り重量を設定することをさらに含むことができる。
【００２９】
以下、いくつかの好ましい実施形態について図面を参照して説明する。説明のために、特許請求の範囲に記載された本発明の範囲から逸脱することなく、さまざまな具体的な詳細について記述する。
【図面の簡単な説明】
【００３０】
【図１】本発明の一実施形態の斜視図である。
【図２ａ】図１の実施形態の正面図である。
【図２ｂ】図１の実施形態の側面図である。
【図２ｃ】図１の実施形態の上面図である。
【図３】図１の実施形態の分解図である。
【図４】本発明の別な実施形態の側面図である。
【図４ａ】図４の実施形態の正面図である。
【図５】本発明の一実施形態によるシステムの上面図である。
【図６】図５の実施形態のシステムの側面図である。
【図７】図５および図６によるシステムのさらなる実施形態を示す図である。
【図８】本発明の一実施形態の正面図である。
【図９】本発明の一実施形態によるシステムの上面図である。
【図１０】本発明の一実施形態によるシステムの斜視図である。
【発明を実施するための形態】
【００３１】
図１、図２ａないし図２ｃおよび図３は、一つの例示的な実施形態による本発明のデバイスを示しており、図１は斜視図、図２ａは正面図、図２ｂは側面図、図２ｃは上面図、図３は分解図である。以下の説明は、図１、図２ａないし図２ｃおよび図３を参照したものである。
【００３２】
特に、図１、図２ａないし図２ｃおよび図３は、フック要素１１を備えた主要素１０と共に、家禽のような生きている鳥をぶら下げて等級付けするためのデバイス１を示している。この実施形態では、フック要素１１および主要素１０は一つの一体的な要素として構成されるが、フック要素１１はまた主要素１０に対して取り付けられてもよい。図１、図２ａないし図２ｃおよび図３はさらに、受け要素２０に対して本質的に垂直に取り付けられた水平部分１２によって主要素１０に対して回動可能に結合された受け要素２０を示している。受け要素２０の対応する第１の回動軸線Ａは破線で示されている。さらに、これらの図はロック要素３０およびカウンターウェイト要素２５を示しており、カウンターウェイト要素２５は受け要素２０に対して取り付けられてもよく、ロック要素３０は主要素１０に対して取り付けられてもよい。さらに、二つの突起１２ａおよび１２ｂが受け要素２０に対して、好ましくは受け要素２０の水平部分１２に対して、受け要素２０の回動を制限するために結合されている。
【００３３】
図１、図２ａないし図２ｃおよび図３に示すように、受け要素２０は、末端部がデバイスから離れる方向に向くように、好ましくはそこに受け入れられた生きている鳥の身体部分から離れる方向に曲がるように、この開放末端部２１ｂ，２２ｂにおいて曲げられた二つの略Ｖ字形要素２１，２２をさらに備える。略Ｖ字形要素２１，２２は、異なるサイズの鳥を受け入れることを可能とするために、二つのＶ字形要素２１，２２間の角度を開閉するように、受け要素２０に対して回動可能に結合されている。それぞれの回動軸線Ｂは図２ｂに示されている。Ｖ字形要素２１，２２の接続点において、受け要素２０は、プレート状要素２０ａと、それに対して取り付けられた回動軸線を規定する二つの固定要素２０ｂを備えることができ、これは、プレート状要素２０ａに対して、したがって受け要素２０に対して、Ｖ字形要素２１，２２を回動可能に結合するように構成される。この実施形態では、二つのＶ字形要素２１，２２の回動軸線はある距離だけオフセットされているが、単一の軸線を形成するように一致していてもよい。
【００３４】
Ｖ字形要素２１，２２は二つの要素として示されているが、Ｖ字形要素は複数の要素として構成されてもよいことは当業者には明らかである。例えば、Ｖ字形要素２１，２２のそれぞれは、鳥のより良好な固定を可能にするために、極めて近接して二つの本質的に平行なＶ字形要素を含むことができる。換言すれば、各Ｖ字形要素２１，２２の構造は二重構造を備えることができる。
【００３５】
より詳細には、Ｖ字形要素２１，２２は、プレート状要素２０ａに結合された端部からデバイス１の側方に延びる二つの長尺な部分をそれぞれ備えることができる（例えば図２ａ）。長尺な部分は、約９０°曲げられて、デバイス１の底部に向かって延びる第１の脚部へと移行してもよい。第１の脚部の端部における屈曲部分２１ａ，２２ａは、その肩甲骨‐上腕骨関節にて鳥を受け入れるために設けられる。鳥をしっかりと保持することを可能にすると同時に鳥の簡単な開放を可能にするために、屈曲部分２１ａ，２２ａは約１００°ないし１７０°の間で、好ましくは約１２０°ないし１５０°の間で、より好ましくは約１３０°ないし１４０°の間で曲げられる（図２ｂ）。Ｖ字形要素２１，２２はさらに、屈曲部分２１ａ，２２ａから開放末端部２１ｂ，２２ｂに向かって延びる。屈曲部分２１ａ，２２ａと開放末端部２１ｂ，２２ｂとの間の部分は実質的に直線状であってもよく、第２の脚部と呼ぶことができる。
【００３６】
プレート状要素２０ａは、Ｖ字形要素２１，２２ごとに二つの制限要素２３，２４をさらに備える。制限要素２３，２４は、Ｖ字形要素２１，２２の制御不能な回動や振動を防止するために、Ｖ字形要素２１，２２の回動が所定の範囲内に制限されるように、受け要素２０に対して取り付けられる。制限要素２３，２４は、プレート状要素２０ａとＶ字形要素２１，２２との結合点（固定要素２０ｂ）付近で、プレート状要素２０ａから突出する突起であってもよい。
【００３７】
図２ａから最もよく分かるように、Ｖ字形要素２１，２２は、制限要素２３，２４によってその回動運動が制限される。基本位置において、屈曲部分２１ａ、２２ａは、底部制限要素２４によって設定される所定角度の下で互いに向かい合っている。Ｖ字形要素２１，２２が反対方向に回動することにより、屈曲部分２１ａ，２２ａは、上部制限要素２３が許容する限り、互いに反対方向に回動させられる。図２ａはさらに、開放末端部２１ｂ，２２ｂの好ましい向きを示す。特に、開放末端部２１ｂ，２２ｂは、デバイス１から、したがって鳥の身体部分から離れる方向を向いている。
【００３８】
Ｖ字形要素２１，２２の基本位置における状態は、図２ｃからも見ることができる。一方のＶ字形要素２１の第１の脚部と他方のＶ字形要素２２の第１の脚部との間の距離は、屈曲部分２１ａ，２２ａに向かって減少する。一方のＶ字形要素２１の第２の脚部と他方のＶ字形要素２２の第２の脚部との間の距離も、屈曲部分２１ａ，２２ａに向かって減少する。しかしながら、Ｖ字形要素２１，２２を回動させると、脚部は互いに平行になってもよく、あるいはそれらの間の距離は屈曲部分２１ａ，２２ａに向かって増大してもよい。
【００３９】
ロック要素３０は主要素１０に対して可動的に取り付けられ、受け要素２０が、Ｖ字形要素の屈曲部分２１ａ，２２ａにおいてその肩甲骨‐上腕関節によってぶら下げられる鳥を受け入れることができる第１の位置（本来の位置）で受け要素２０をロックする。この状態では、Ｖ字形要素２１，２２の第２の脚部は上方を向いており、したがって鳥を保持している。この実施形態のロック要素３０は上向きに動作可能であり、これによって受け要素２０をロック解除または解放する。ロック要素３０を上向きに動作させて受け要素２０を解放すると、受け要素２０は、鳥の重量＞カウンターウェイト要素２５の重量であるために、鳥の重量により第２の位置（解放位置）へと回動する。Ｖ字形要素２１，２２の第２の脚部は、第２の位置で下方を向いており、したがって鳥を解放する。受け要素の最大回動は、突起１２ａおよび１２ｂによって設定される。鳥の解放後、受け要素２０は、カウンターウェイト要素２５の重量によってその本来の位置に戻るように回動する。最後に、ロック要素３０が下降させられて、受け要素２０をその本来の位置でロックする。ロック要素３０の動きは図２ｂに矢印で示されている。
【００４０】
受け要素２０から鳥を解放することは、Ｖ字形要素２１，２２が地面に接近するような受け要素２０の回動によって行われることが好ましい。このようにして、鳥が第１の位置（本来の直立位置）で保持された高さよりも低い高さから解放される。したがって、鳥は、受け要素２０から解放されるとき、通常はその翼を動かし羽ばたかせて、難なく着地することができる。
【００４１】
鳥を受け要素２０から、すなわちＶ字形要素２１，２２から解放することは、Ｖ字形要素２１，２２の形状によって支援される。すなわち、解放位置に到達すると、鳥は自動的にＶ字形要素２１，２２から滑り落ちる。
【００４２】
受け要素２０がリセスを備え、その中に、受け要素２０をその本来の直立位置にロックするためにロック要素３０が係合できることが好ましい。
【００４３】
カウンターウェイト要素２５は受け要素２０に取り付けられ、いったん鳥が（上述したように）受け要素２０から解放されると、受け要素２０がその本来の位置に戻るように回動させられることを可能とする。特に、カウンターウェイト要素２５は、鳥がＶ字形要素２１，２２によって保持されているときには受け要素２０の第１の位置から第２の位置への回動を可能とし、かつ、鳥が開放された後には第２の位置から第１の位置への受け要素２０の回動を可能とするように構成されてもよい。これは、回動軸線の位置、カウンターウェイト要素２５の位置および重量、そしてデバイスによって受け取られる鳥の予想される重量範囲を考慮することによって達成できる。
【００４４】
カウンターウェイト要素２５は平坦部分２５ａによって受け要素に対して取り付けられてもよく、これは、受け要素２０をその本来の直立位置でロックするために、その中にロック要素３０が係合できる上記リセスを備える。
【００４５】
図３はデバイス１の分解図を示している。特に、プレート状要素２０ａは二つの孔を有するが、これはＶ字形要素２１，２２の長尺な部分の端部の二つの孔と整列させられる。続いて、この孔から取り付け要素が導入され、Ｖ字形要素２１，２２がプレート状要素２０ａに固定される。
【００４６】
図４および図４ａは、本発明に係るデバイス１ａの代替実施形態を示している。この代替の実施形態の、図１、図２ａないし図２ｃおよび図３を参照して既に説明したものと同等の部分は、対応する参照数字で示されている。以下では、これらの部分のみが説明されており、これらは、図１、図２ａないし図２ｃおよび図３を参照して説明された部分とは異なる。
【００４７】
特に、図４は、ロック要素３０ａおよび丸みを帯びた末端部２１ｃ，２２ｃの代替的な構成の側面図である（丸みを帯びた末端部２１ｃは図４では認識できず、図４の実施形態に係る正面図である図４ａにおいてのみ認識可能である）。
【００４８】
ロック要素３０ａは主要素１０に対して動作可能に取り付けられているが、本実施形態に係るロック要素３０ａの動作は回動軸線を中心とした回動運動である。回動軸線Ｃ（図４ａの破線）は、受け要素２０の回動軸線と平行であることが好ましい。第１の方向のロック要素３０ａの回動は、受け要素２０を回動させて鳥を解放することを可能にする。受け要素２０がカウンターウェイト要素２５によってその本来の位置まで戻るように回動した後、ロック要素３０ａは逆方向に回動して、受け要素をその本来の位置でロックする。
【００４９】
さらに、Ｖ字形要素２１，２２は丸みを帯びた末端部２１ｃ，２２ｃを有する。丸みを帯びた末端部２１ｃ，２２ｃは実質的にボール形状を有し、受け要素２０に接続されていないＶ字形要素２１，２２の自由端に位置する。丸みを帯びた末端部２１ｃ，２２ｃは、受け要素２０によって受け取られ、保持され、解放される間、鳥が傷付くリスクを低減する。
【００５０】
図４によって導入された代替案は、いずれも、図１、図２ａないし図２ｃおよび図３の実施形態に独立して組み込むことができる。すなわち、図４の特徴の全てを上述した実施形態に組み込むこと、またはそれらを別々に組み込むことが可能である。
【００５１】
図５および図６は、本発明の一実施形態による、鳥をハンドリングし、等級付けし、そしてワクチン接種するためのシステム１００を示しており、図５は上記システム１００の上面図であり、図６は上記システム１００の側面図である。
【００５２】
図５は、それに対して、鳥をハンドリングしかつ等級付けするための上述したデバイスと係合することができる複数の固定要素１０２〜１１４が取り付けられるキャリアシステム１０１を示している。複数の１３個の固定要素１０２〜１１４が示されているが、本明細書の説明によれば、当業者にとって、本発明のためには、ただ一つの固定要素で十分であり、すなわち固定要素１０２〜１１４の数は単に例示のためのものであることは明らかである。キャリアシステム１０１は、閉ループを提供するために、好ましくはモーター（図示せず）によって、（破線の矢印で示す）一方向の経路に沿って固定要素１０２〜１１４の自動的な移動を可能にする。
【００５３】
図５はさらに、三つの所定の位置、すなわち鳥がその重量に応じて（矢印で示すように）自動的に解放され得る領域１２０，１２１，１２２を示している。すなわち、システムは、（後述する）秤量要素の使用によって各鳥の重量を測定し、その特定された重量に応じて領域１２０，１２１または領域１２２のいずれかで鳥を解放する。しかしながら、所定の領域の数は三つの領域１２０，１２１，１２２に限定されず、少なくとも二つの領域であってもよい。鳥を解放するために、すなわち上記のようにロック要素３０を動かすために、システム１０１は、鳥が解放されると想定される二つの位置に解放要素（図示せず）を備える。解放要素は、好ましくは、特定された重量に基づいて自動的に制御され、ロック要素３０の動作を引き起こす。
【００５４】
図６から概略的に分かるように、デバイス１，１ａは固定要素１０２〜１１４（ここでは１０８〜１１０のみが例示的に示されている）によって受け取られる。さらに、図６は、デバイス１，１ａに受け入れられた鳥を秤量するように構成された秤量要素１３０を示している。秤量要素１３０は、それぞれの鳥の重量を測定するように各固定要素１０２〜１１４（図示せず）に取り付けられてもよく、あるいは、個々の固定要素が所定の位置でキャリアシステム１０１に取り付けられてもよく、これによって、上記特定のデバイスによって受け取られた鳥の重量を測定するために、当該位置を通過するデバイス１，１ａが秤量される。
【００５５】
システム１００が、当該システム１００の一つ以上の所定の位置に少なくとも一つの自動注射デバイス（図示せず）またはワクチン接種ステーション（図示せず）を備えることがさらに好ましい。注射デバイスは、デバイス１，１ａにより固定されている間に、鳥にワクチン接種するように構成されてもよい。ワクチンは、好ましくは、デバイス１，１ａの前面にさらされた鳥の胸部に注入される。すなわち鳥の胸部は、デバイス１，１ａの部分によって遮蔽されない。鳥がデバイス１，１ａによって受け取られたときに自由にアクセス可能な、鳥の目、首および／または翼のために、同じかまたはさらなるワクチン接種ステーションを設けることができる。
【００５６】
図７は図５および図６に記載のシステムのさらなる実施形態を示している。図７に示すように、システム１００は、保管または輸送中のスペースを節約するために、水平な形態（図６に示す）からより垂直な形態へと回動あるいは傾斜させられるように構成されてもよい。水平形態（破線）から離れる角度は、完全な垂直形態（破線に対して９０°）まで連続的に変化させることが可能であることが好ましい。傾斜動作の間、固定要素１０２〜１１４に取り付けられたデバイス１，１ａは、好ましくはその自重のために水平に保たれることがさらに好ましい。この構成は、スペースが疎である場所においてまたはシステム１００の輸送のために有利である。好ましくは、空気圧システムを使用して、システム１００の傾斜の度合いの自動調整を可能にすることができる。システム１００は、図７に示されるようなシステム１００の一方側において、あるいは中心軸線の周りで、好ましくはシステム１００の中心において回動可能である。
【００５７】
上記実施形態のいずれか一つにおいては、図８を参照してより詳細に説明するように、鳥の背部領域で鳥を支持するように構成されたサポートプレートを設けることができる。
【００５８】
図８は、生きている鳥をぶら下げ、等級付けするためのデバイス１ｂを示している。デバイス１ｂは、上記構成の一つを有していてもよい。例示のために、デバイス１ｂは、フック要素１１を備えた主要素１０と、少なくとも二つのＶ字形要素を含み得る受け要素２０と、ロック要素（図８には示されていない）とを備える。デバイス１ｂは、背部サポート４０を備えることができる。背部サポート４０は、鳥の背部領域で鳥を支持するように構成することができる。鳥が受け要素２０に受け入れられると、背部サポート４０は鳥を固定して、鳥がデバイスから滑り落ちるリスクを軽減することができる。これは、より小さな鳥もしっかりと保持するために特に有利である。
【００５９】
背部サポート４０はプラスチックプレートを含んでも、あるいはそれから構成されていてもよい。プラスチックプレートは、受け要素の少なくとも二つのＶ字形要素２１ａ，２１ｂに当接することができる。プラスチックプレートは、受け要素２０が第１の位置と第２の位置との間で回動できるように、主要素１０に対して、かつ／または少なくとも二つのＶ字形要素２１ａ，２１ｂに対して取り付けられてもよい。プラスチックプレートは、異なる鳥のサイズに対応するために、図２ｂに示す第２の軸線Ｂを中心としてＶ字形要素２１ａ，２１ｂの少なくとも一つが回動することを可能とするように、主要素１０に対して、かつ／または少なくとも二つのＶ字形要素２１ａ，２１ｂに対して取り付けることができる。デバイス１ｂは、上述したその他の任意特徴の一つまたはその組み合わせを有することができる。それらの構成および／または作用に関して、既に説明した要素に対応する要素は、図８において同じ参照数字で示されている。
【００６０】
図９は、一実施形態によるシステム１００を示している。システム１００は、図５ないし図７を参照して説明したシステム１００と同様の構成および作用を有することができる。システム１００は、少なくとも一つの集積回路１３１を含む処理デバイスを含むことができる。処理デバイスは、鳥の重量を特定するために、秤量要素１３０の出力信号を自動的に処理するよう構成することができる。処理デバイスは、デバイス１，１ａ，１ｂおよびそこに保持された鳥の合計重量からデバイス１，１ａ，１ｂの自重を差し引くことによって、鳥の重量を特定することができる。処理デバイスは、例えば、較正またはテアリング処理において、デバイス１，１ａ，１ｂの自重を自動的に特定するように構成することができる。
【００６１】
処理デバイスは、鳥の重量に基づいて追加の処理および制御動作を実行するように構成することができる。処理デバイスは、複数の鳥の重量分布の統計的情報を生成するように構成することができる。統計的情報は、メモリ１３３に格納されてもよく、かつ／またはユーザーインターフェース１３４を介して出力されてもよい。統計的情報は、オペレータに出力されてもよく、かつ／またはシステムが自動的に等級付けのための一つまたは複数の区切り重量を設定することを可能としてもよい。統計的情報は、平均値、分散、平均幅、またはいくつかの重量区間のそれぞれに収まる鳥のサンプルグループの割合を示す分布を含むことができる。例示のために、それぞれの重量区間内に収まる鳥の割合を示す棒グラフを計算し、ユーザーインターフェース１３４を介して出力することができる。
【００６２】
統計的情報を等級付けのために使用することができる。例示のために、一つ以上の区切り重量が、少なくとも二つの領域１２０，１２１，１２２のうちのどの領域内に鳥が解放されるかを決定してもよい。鳥の重量は、それぞれ、鳥が解放される領域１２０，１２１，１２２を決定するために、一つ以上の区切り重量と比較することができる。システム１００の処理デバイスは、複数の鳥の重量をサンプリングすることによって得られた統計的情報に基づいて、区切り重量を自動的に設定するように構成することができる。区切り重量は、鳥の重量に応じて、所望の割合または所望の数の鳥がそれぞれ領域１２０，１２１および１２２の一つに続いて確実に解放されるように、統計的情報に基づいて設定されてもよい。代替的にまたは追加的に、区切り重量は、ユーザーインターフェース１３４で受け取られたユーザー入力によって設定されてもよい。区切り重量および重量分布に関する統計的情報に基づいて、処理デバイスは、オペレータが適切な区切り重量を設定するのを助けるために、少なくとも二つの領域１２０，１２１および１２２のそれぞれにおいて解放される鳥の割合を自動的に決定してもよい。
【００６３】
システム１００の動作時、鳥を伴わずにデバイス１，１ａ，１ｂの自重を特定するためにテアリングを行うことができる。その後、鳥のサンプルグループの鳥重量に関する統計的情報を得るために、サンプリング処理を行うことができる。例えば、鳥の重量の統計的分布に関する情報が出力または記憶されてもよい。区切り重量はさまざまな方法で計算できる。例示のために、ユーザーインターフェース１３４は、例えば、解放領域１２０，１２１および１２２に対応し得る複数のタイプの一つにそれぞれに割り当てられるべき動物の割合をオペレータが指定することを可能とすることができる。システム１００は、サンプリング中に得られた統計的分布およびオペレータ入力によって指定された所望の割合に基づいて、区切り重量を自動的に計算することができる。これに代えて、またはそれに加えて、システム１００は、動物の総数、そして（例えば、解放領域１２０，１２１および１２２に対応し得る）複数のタイプのそれぞれのものに割り当てられるべき動物の数をオペレータが指定することを可能とすることができる。システム１００は、サンプリング中に得られた統計的分布およびオペレータによってユーザーインターフェース１３４を介して指定された数に基づいて、区切り重量を自動的に計算することができる。その後、区切り重量を使用して、鳥の自動秤量および等級付けを行うことができる。追加の操作がシステム１００によって実行されてもよい。例示のために、システム１００は、上述したように、ワクチン接種要素を備えることができる。
【００６４】
図１０は、一実施形態によるシステム１００の概略斜視図である。図９に概略的に示されるシステム１００は、モバイルシステムとして構成される。システム１００は、システム１００を容易に変位させることを可能とするように構成されたフレーム１４１を備える。フレーム１４１は、システム１００の移動を容易にする、ローラ、ホイール１４２またはその他の要素を含むことができる。
【００６５】
システム１００のユーザーインターフェース１３４は、さまざまな構成のうちの一つを有することができる。例示のために、ユーザーインターフェース１３４は、システム１００の周囲の少なくとも一部の周りで延在することができる安全要素１３５を含むことができる。安全要素１３５は、安全ワイヤとして構成することができる。安全要素１３５は、システム１００の全周の周りで延在していてもよい。たとえば引っ張ることによる安全要素１３５の作動によって、システム１００の動作を一時停止させることができる。ユーザーインターフェース１３４は、追加的にまたは代替的に、タッチスクリーン１３６、安全スイッチまたはフットスイッチなどのインターフェース要素を含むことができる。例示のために、フットスイッチは、システム１００内での鳥のワクチン接種処理および／または輸送速度を制御するように動作可能であってもよい。システム１００は、一実施形態によれば、デバイス１，１ａ，１ｂと係合するように構成されたコンベア（図示せず）を含むことができる。コンベアは、デバイス１，１ａ，１ｂをシステム１００の周りで円周方向に搬送するように動作するエンドレスコンベアであってもよい。
【００６６】
本明細書に開示されたデバイス、システムおよび方法は、複数の鳥を異なる平均重量の二つ、三つまたは四つ以上の部分集団に分類するために使用することができる。これにより、部分集団内の鳥の重量の継続的な均一性をもたらすように、各グループを管理することが可能になる。本明細書に開示されたデバイス、システムおよび方法は、例えば、複数の鳥を二つ、三つまたは四つ以上の部分集団に分類することによって集団均一性を高めるために、体重による鳥の等級付けを容易にするように構成することができる。鳥のある群れの中の不均質な体重によって引き起こされる可能性のある性成熟率の変動は、例えば、高い卵生産速度を達成するための大きな制限となる可能性がある。本明細書に開示されたデバイス、システムおよび方法は、異なる平均重量の複数の部分集団のそれぞれにおける鳥に、それぞれの部分集団に関連する重量を有する鳥のための動物保護を向上させるように調整された方式で採餌し、あるいはその他の方法で取り扱うことを可能とする。
【００６７】
本明細書に開示されたデバイス、システムおよび方法は、より効率的に等級付けを実行することを可能にすることができる。本明細書に開示されたデバイス、システムおよび方法は、例えば、手作業による等級付け処理と比較して、システムのオペレータのための人間工学的条件を改善するように構成することができる。
【００６８】
本明細書に開示されたデバイス、システムおよび方法は、少なくとも二つの部分集団のそれぞれにおける全ての単一の鳥についての自動データ収集を実行する能力も提供することができる。それぞれの重量情報は、例えば、部分集団のそれぞれの鳥についての飼料量を特定する場合にかつ／または部分集団のそれぞれの中での均一性の程度を評価するために、管理情報として使用できる。本明細書に開示されたデバイス、システムおよび方法はまた、さもなければ不正確な飼料量の割り当てにつながるであろう、部分集団のそれぞれにおける鳥を不正確にカウントするリスクを軽減する能力を提供することができる。
【００６９】
本発明は、その範囲あるいは要旨を逸脱することなくさまざまな態様において実施することが可能であるので、上記実施形態は、特記しない限り、上記の記載内容に限定されるものではなく、特許請求の範囲に規定される範囲内で広く解釈されるべきであり、したがって、本発明に含まれる全ての変更および修正は特許請求の範囲によって包含されることが意図されることを理解されたい。
【００７０】
さらに、特許請求の範囲において、「含む」という語はその他の要素またはステップを排除するものではなく、不定冠詞「ある」または「一つ」は複数を排除しない。単一のユニットが特許請求の範囲に記載されたいくつかの特徴の機能を果たすことができる。属性または値に関して「本質的に」、「約」、「おおよそ」などの語は、特に、正確に属性または正確に値をそれぞれ規定する。特許請求の範囲内のいかなる参照数字も範囲を限定するものとして解釈されるべきではない。
【符号の説明】
【００７１】
１，１ａ，１ｂ  デバイス
１０  主要素
１１  フック要素
１２  水平部分
１２ａ，１２ｂ  突起
２０  受け要素
２０ａ  プレート状要素
２０ｂ  固定要素
２１  Ｖ字形要素
２１ａ  屈曲部分
２１ｂ  開放末端部
２１ｃ  末端部
２２  Ｖ字形要素
２２ａ  屈曲部分
２２ｂ  開放末端部
２２ｃ  末端部
２３  上部制限要素
２４  底部制限要素
２５  カウンターウェイト要素
２５ａ  平坦部分
３０，３０ａ  ロック要素
４０  背部サポート
１００  システム
１０１  キャリアシステム
１０２〜１１４  固定要素
１２０，１２１，１２２  解放領域
１３０  秤量要素
１３１  集積回路
１３３  メモリ
１３４  ユーザーインターフェース
１３５  安全要素
１３６  タッチスクリーン
１４１  フレーム
１４２  ホイール
【図１】
2019505211.tif 000003
【図２ａ】
2019505211.tif 000004
【図２ｂ】
2019505211.tif 000005
【図２ｃ】
2019505211.tif 000006
【図３】
2019505211.tif 000007
【図４】
2019505211.tif 000008
【図４ａ】
2019505211.tif 000009
【図５】
2019505211.tif 000010
【図６】
2019505211.tif 000011
【図７】
2019505211.tif 000012
【図８】
2019505211.tif 000013
【図９】
2019505211.tif 000014
【図１０】
2019505211.tif 000015
【国際調査報告】
2019505211.tif 000016
2019505211.tif 000017